(57)【要約】【課題】この発明は、踏み板の移動方向を発光素子で発光された光の動きとして目視確認させるようにし、構成の簡素化を図り、低価格化を実現するとともに、発光素子を案内レールに設置し、意匠性を損なうことがないようにしたマンコンベアを得る。【解決手段】ＬＥＤ１４ａ〜１４ｃが案内レール４の反ステップ側に、ステップ１の移動方向に所定間隔をもって１列に配列し、かつ、発光光２０ａ〜２０ｃが移動手摺り３の下部から外方に放射されるように、取り付けられている。そして、フラッシャ装置が、ＬＥＤ１４ａ〜１４ｃを順次ＯＮ／ＯＦＦ駆動し、ＬＥＤ１４ａ〜１４ｃの発光光２０ａ〜２０ｃがステップ１の移動方向前方に移動するようにしている。【選択図】図２
2006076720.tif 000002
【特許請求の範囲】
【請求項１】
利用者が乗る踏み板と、上記踏み板の両側に立設された一対の欄干パネルと、上記一対の欄干パネルのそれぞれの上部側の配設された一対の案内レールと、上記一対の案内レールに装着されて上記踏み板と同期して移動する一対の移動手摺りと、を有するマンコンベアにおいて、
上記一対の案内レールの少なくとも一方の案内レールの反踏み板側に、上記踏み板の移動方向に所定間隔をもって、かつ、発光された光を上記移動手摺りの下部から反踏み板側外方に放射できるように配設された複数の発光素子と、
上記発光素子で発光された光が上記踏み板の移動方向前方に移動するように上記複数の発光素子を上記踏み板の移動方向の後方に位置する発光素子から前方に順次ＯＮ／ＯＦＦ駆動する制御手段と、
を備えていることを特徴とするマンコンベア。
【請求項２】
利用者が乗る踏み板と、上記踏み板の両側に立設された一対の欄干パネルと、上記一対の欄干パネルのそれぞれの上部側の配設された一対の案内レールと、それぞれ化粧ゴムが断面Ｃ状の主体部の外周を覆うように成形されており、上記一対の案内レールに装着されて上記踏み板と同期して移動する一対の移動手摺りと、を有するマンコンベアにおいて、
上記一対の案内レールの少なくとも一方の案内レールの反踏み板側に、上記踏み板の移動方向に所定間隔をもって、かつ、発光された光を上記移動手摺りの下端部に照射できるように配設された複数の発光素子と、
上記複数の発光素子を上記踏み板の移動方向の後方に位置する発光素子から前方に順次ＯＮ／ＯＦＦ駆動する制御手段と、を備え、
上記移動手摺りの上記化粧ゴムが、下端部から入射した上記発光された光を側部に伝播し、該側部から放射するように構成されていることを特徴とするマンコンベア。
【請求項３】
上記化粧ゴムが透明ウレタンゴムで作製されていることを特徴とする請求項２記載のマンコンベア。
【請求項４】
上記化粧ゴムは蛍光材が混在されて、上記下端部から入射した上記発光された光を吸収して蛍光を発するように構成されていることを特徴とする請求項２又は請求項３記載のマンコンベア。
【請求項５】
上記制御手段は、上記踏み板の運転／停止状態に拘わらず、上記複数の発光素子をＯＮ／ＯＦＦ駆動できるように構成されていることを特徴とする請求項１乃至請求項４のいずれか１項に記載のマンコンベア。
【請求項６】
上記制御手段は、上記踏み板の運転状態に連動して、上記複数の発光素子をＯＮ／ＯＦＦ駆動できるように構成されていることを特徴とする請求項１乃至請求項４のいずれか１項に記載のマンコンベア。
【発明の詳細な説明】
【技術分野】
【０００１】
この発明は、運転方向を表示できる表示装置を備えたエスカレータや動く歩道等のマンコンベアに関するものである。
【背景技術】
【０００２】
従来のマンコンベアにおいては、スリットが一定間隔で設けられている円筒の縁部が円板面に垂直に設けられた回転遮光板、回転遮光板内に同軸的に設けられた円形の蛍光灯、回転遮光板を回転駆動するモータ等を有する照明装置を備えている。そして、照明装置は、透光性を有する欄干パネルを貫通するように設けられた円形状の開口部に装着されており、回転遮光板がステップの移動と連動して回転駆動される。これにより、スリットから欄干パネル内に照射された放射状の照明光が回転するように見え、利用者が、遠方からこの照射光を見ることにより、運転中のマンコンベアの運転方向を確認できる。（例えば、特許文献１参照。）
【０００３】
【特許文献１】特開２００３−３４４８３号公報
【発明の開示】
【発明が解決しようとする課題】
【０００４】
従来のマンコンベアは、照明装置が透光性を有する欄干パネルに装着されているので、意匠性の面で問題があった。
また、照明装置が回転遮光板をステップの移動に連動して回転駆動するように構成されているので、照明装置の構成が複雑となり、低価格化が図れないという問題もあった。
さらに、照明装置がマンコンベアの運転中にのみ駆動されるようになっているので、停止中のマンコンベアの運転方向は確認できなかった。そこで、乗降口に設置した人感センサが利用者の到来を検知すると運転を開始するような自動運転のマンコンベアに適用した場合、利用者が乗降口に近づいて初めて運転方向が違うことに気づき、所望の運転方向のマンコンベアまで移動しなければならなくなるという問題があった。
【０００５】
この発明は、上記の課題を解決になされたものであって、踏み板の移動方向を発光素子で発光された光の動きとして目視確認させるようにし、構成の簡素化を図り、低価格化を実現するとともに、発光素子を案内レールに設置し、意匠性を損なうことがないようにしたマンコンベアを得ることを目的とする。
さらに、マンコンベアの踏み板の運転／停止状態に拘わらず複数の発光素子を順次ＯＮ／ＯＦＦ駆動するようにし、乗降口に設置した人感センサが利用者の到来を検知すると運転を開始するような自動運転のマンコンベアに適用した場合に、利用者が乗降口に近づいて初めて運転方向が違うことに気づき、所望の運転方向のマンコンベアまで移動しなければならなくなるという不具合の発生を未然に防止できるマンコンベアを得ることを目的とする。
【課題を解決するための手段】
【０００６】
この発明は、利用者が乗る踏み板と、上記踏み板の両側に立設された一対の欄干パネルと、上記一対の欄干パネルのそれぞれの上部側の配設された一対の案内レールと、上記一対の案内レールに装着されて上記踏み板と同期して移動する一対の移動手摺りと、を有するマンコンベアにおいて、上記一対の案内レールの少なくとも一方の案内レールの反踏み板側に、上記踏み板の移動方向に所定間隔をもって、かつ、発光された光を上記移動手摺りの下部から反踏み板側外方に放射できるように配設された複数の発光素子と、上記発光素子で発光された光が上記踏み板の移動方向前方に移動するように上記複数の発光素子を上記踏み板の移動方向の後方に位置する発光素子から前方に順次ＯＮ／ＯＦＦ駆動する制御手段と、を備えているものである。
【発明の効果】
【０００７】
この発明によれば、踏み板の移動方向を目視確認させる表示装置が複数の発光素子と複数の発光素子を踏み板の移動方向の後方に位置する発光素子から前方に順次ＯＮ／ＯＦＦ駆動する制御手段とで構成できるので、構成の簡素化が図られ、低価格化が実現できる。また、表示装置を構成する発光素子が案内レールに設置されているので、表示装置を設置することに起因する意匠性の低下を抑えることができる。
【発明を実施するための最良の形態】
【０００８】
実施の形態１．
図１はこの発明の実施の形態１に係るエスカレータを示す側面図、図２はこの発明の実施の形態１に係るエスカレータを示す要部拡大側面図、図３は図２のＩＩＩ−ＩＩＩ矢視断面図、図４はこの発明の実施の形態１に係るエスカレータにおける表示装置を示すブロック構成図である。
【０００９】
図１乃至図４において、エスカレータは、乗客が乗る踏み板としてのステップ１の両側に一対の欄干２が立設され、移動手摺り３が各欄干２の周縁部に配設されて構成されている。
欄干２は、上下のニュアル間で欄干２の上部側の周縁部を構成する案内レール４と、上下のニュアル間で欄干２の下部側を構成するデッキボード５と、案内レール４とデッキボード５との間に配設される欄干パネル６とを有する。
案内レール４は、ステップ１の移動方向に沿って延設されたレールフレーム７と、ステップ１の移動方向に沿ってレールフレーム７上に固着されたレールガイド８とを有する。そして、係合部８ａがレールガイド８のレールフレーム７の延設方向と直交する両側に突出されている。
移動手摺り３は、合成ゴムとキャンバスを主体とする断面Ｃ状の主体部９と、主体部９の外周を覆うように成形された化粧ゴム１０とを有している。そして、主体部９は、伸縮が少なく、切断することがないように、ワイヤコード１１で補強されている。この移動手摺り３は、その断面Ｃ状の内部に係合部８ａを収納するように欄干２の案内レール４に装着され、ステップ１の移動に連動して摺動移動するようになっている。また、欄干パネル６は、透明なガラス又は透明なプラスチック材料で作製されている。なお、欄干パネル６は、必ずしも透明である必要はない。
【００１０】
表示装置１２は、エスカレータの一側の欄干２の案内レール４の反ステップ側の乗り口付近、中央付近および降り口付近の三箇所に設置されたフラッシャユニット１３と、３つのフラッシャユニット１３を駆動制御する制御手段としてのフラッシャ装置１６とを備えている。
フラッシャユニット１３は、例えば３つの発光素子としてのＬＥＤ（Light Emitting Diode）１４ａ〜１４ｃが筐体１５の上面に１列に配列されている。なお、駆動回路が実装された回路基板（図示せず）が筐体１５内に収納され、ＬＥＤ１４ａ〜１４ｃが回路基板に電気的に接続されている。そして、各フラッシャユニット１３は、ＬＥＤ１４ａ〜１４ｃがステップ１の移動方向に１列に並ぶように、かつ、ＬＥＤ１４ａ〜１４ｃの発光光が移動手摺り３の下部、即ち移動手摺り３とレールフレーム７との間から放射されるように案内レール４に取り付けられている。
フラッシャ装置１６は、電源が入れられると、ＬＥＤ１４ａ〜１４ｃをステップ１の移動方向後方のＬＥＤ１４ａから前方に順次、かつ、周期的に発光させるようにフラッシャユニット１３をＯＮ／ＯＦＦ駆動制御する。
【００１１】
つぎに、このように構成されたエスカレータの動作について説明する。
まず、エスカレータの電源が入れられると、ステップ１が図示しない駆動装置に駆動されて、図１中矢印方向（上り方向）に移動する。同時に、フラッシャ装置１６が動作し、各フラッシャユニット１３のＬＥＤ１４ａ〜１４ｃが例えばＬＥＤ１４ａのＯＮ／ＯＦＦ→ＬＥＤ１４ｂのＯＮ／ＯＦＦ→ＬＥＤ１４ｃのＯＮ／ＯＦＦ→ＬＥＤ１４ａのＯＮ／ＯＦＦ・・・と順次、かつ、周期的に駆動される。そこで、ＬＥＤ１４ａ〜１４ｃの発光光２０ａ、２０ｂ、２０ｃは、移動手摺り３とレールフレーム７との間を通って順次放射される。これにより、発光光２０ａ→発光光２０ｂ→発光光２０ｃ→発光光２０ａ・・・とステップ１の移動方向前方に移動するように見える。
【００１２】
このように、この実施の形態１では、１列に配列されたＬＥＤ１４ａ〜１４ｃを有するフラッシャユニット１３が、ＬＥＤ１４ａ〜１４ｃの配列方向をステップ１の移動方向に一致させ、かつ、ＬＥＤ１４ａ〜１４ｃの発光光２０ａ〜２０ｃが移動手摺り３とレールフレーム７との間から放射されるように案内レール４に設置され、フラッシャ装置１６がＬＥＤ１４ａ〜１４ｃの発光光２０ａ〜２０ｃをステップ１の移動方向前方に順次移行するようにＬＥＤ１４ａ〜１４ｃを順次、かつ、周期的にＯＮ／ＯＦＦ駆動するようになっている。
そこで、利用者は、ＬＥＤ１４ａ〜１４ｃの発光光２０ａ〜２０ｃがステップ１の移動方向前方に移動するように見えるので、エスカレータの側面の遠くからでもエスカレータの運転方向を目視確認でき、乗降口に近づいて初めて運転方向が違うことに気づくような不具合の発生も未然に防止される。また、表示装置１２は、従来装置で必要であった回転遮光板のような回転機構が不要となり、構成が簡素化され、低価格化を実現できる。
【００１３】
また、フラッシャ装置１６が、ステップ１の移動／停止状態に拘わらず、エスカレータの電源が入るとフラッシャユニット１３のＬＥＤ１４ａ〜１４ｃを順次ＯＮ／ＯＦＦ駆動するようになっている。そこで、乗降口に設置した人感センサが利用者の到来を検知すると運転を開始するような自動運転のマンコンベアに本装置を適用すれば、利用者が乗降口に近づいて初めて運転方向が違うことに気づき、所望の運転方向のマンコンベアまで移動しなければならなくなるという不具合の発生を未然に防止することができる。
【００１４】
なお、上記実施の形態１では、フラッシャユニット１３を一側の欄干２の案内レール４の反ステップ側の乗り口付近、中央付近および降り口付近の三箇所に設置するものとしているが、フラッシャユニット１３を両側の欄干２の案内レール４の反ステップ側に設置してもよく、設置数および設置場所についても必要に応じて自由に選択できる。
また、フラッシャユニット１３が３つのＬＥＤ１４ａ〜１４ｃを備えているものとして説明しているが、ＬＥＤの個数は３つに限定されるものではなく、発光光が動くように見えればよい。
また、フラッシャユニット１３を一側の欄干２の案内レール４の反ステップ側に設置するものとしているが、さらにフラッシャユニット１３を一側の欄干２の案内レール４のステップ側にも設置するようにしてもよい。
【００１５】
また、ＬＥＤの種類を選択することにより、ステップ１の上りと下りとで発光光の色を変えてステップ１の移動方向の状態表示を行うことができる。この場合、建物内で、ステップ１の上りと下りとの色を決めておけば、利用者は遠方から発光光の色を見ることにより、エスカレータの運転方向を確認することができる。
また、ＬＥＤの駆動パルスをステップ１の上りと下りとで変えてステップ１の移動方向の状態表示を行うことができる。例えば、ステップ１の上り表示の場合には、１パルスの発光光を上り方向に順次移動させ、ステップ１の下り表示の場合には、２パルスの発光光を下り方向に順次移動させることもできる。そこで、建物内で、ステップ１の上りと下りとの発光光のパルス回数を決めておけば、利用者は遠方から発光光のパルス回数を見ることにより、エスカレータの運転方向を確認することができる。
【００１６】
実施の形態２．
図５はこの発明の実施の形態２に係るエスカレータの構成を示す要部側面図である。
図５において、移動手摺り３Ａは、合成ゴムとキャンバスを主体とする断面Ｃ状の主体部９と、主体部９の外周を覆うように成形された化粧ゴム１０Ａとを有している。そして、化粧ゴム１０Ａは、透明ウレタンゴムで作製され、ＬＥＤ１４ａ〜１４ｃの発光光を伝播するように機能する。
フラッシャユニット１３は、ＬＥＤ１４ａ〜１４ｃがステップ１の移動方向に１列に並ぶように、かつ、ＬＥＤ１４ａ〜１４ｃの発光光が移動手摺り３の下端部に照射されるように案内レール４の反ステップ側に取り付けられている。
なお、他の構成は上記実施の形態１と同様に構成されている。
【００１７】
この実施の形態２では、フラッシャ装置１６が動作し、各フラッシャユニット１３のＬＥＤ１４ａ〜１４ｃが例えばＬＥＤ１４ａのＯＮ／ＯＦＦ→ＬＥＤ１４ｂのＯＮ／ＯＦＦ→ＬＥＤ１４ｃのＯＮ／ＯＦＦ→ＬＥＤ１４ａのＯＮ／ＯＦＦ・・・と順次ＯＮ／ＯＦＦ駆動される。そこで、ＬＥＤ１４ａ〜１４ｃの発光光は、移動手摺り３の下端部に順次照射される。そして、移動手摺り３の化粧ゴム１０Ａの下端部に入射した光は、化粧ゴム１０Ａ内を伝播し、側部まで伝送され、側部から放射される。そこで、移動手摺り３のＬＥＤ１４ａ〜１４ｃ設置位置の外側部位が光る。これにより、この光る部分である光輝部２１がステップ１の移動方向前方に移動するように見える。
そこで、この実施の形態２においても、上記実施の形態１と同様の効果が得られる。
また、化粧ゴム１０Ａがウレタンゴムで作製されているので、主体部９に密着よく成形できる。また、ウレタンゴムは加工性に優れていることから、移動手摺りの作製が容易となる。
【００１８】
なお、上記実施の形態２では、化粧ゴム１０Ａをウレタンゴムで作製するものとしているが、化粧ゴムの材料はウレタンゴムに限定されるものではなく、光を伝播できるものであればよく、例えばハイパロン（デュポン社の商品名）のようなクロルスルホン化ポリエチレンを用いてもよい。
また、化粧ゴムは、蛍光体をウレタンゴムなどの合成樹脂に混ぜて作製してもよい。この場合、移動手摺り３のＬＥＤ１４ａ〜１４ｃ設置位置の外側部位が蛍光を発し、この蛍光を発する光輝部がステップ１の移動方向前方に移動するように見えるので、利用者は、より遠くからでも、エスカレータの運転方向を確実に目視確認できる。ここで、蛍光体としては、例えばカルシウム、バリウム、マグネシウム、亜鉛等の酸化物、けい酸塩、リン酸塩、タングステン酸塩を主成分として少量の活性剤を添加して焼成したもの、アントラセン、ジアミノスチルベン系染料、チオフラビン、ローダミンＢ、ルモゲンＬイエローなどが用いられる。
【００１９】
なお、上記各実施の形態では、エスカレータに適用するものとして説明しているが、本発明はエスカレータ以外のマンコンベア、例えば動く歩道に適用しても、同様の効果が得られる。ここで、動く歩道における踏み面は、エスカレータのように階段状ではなく、平面状であり、パレット式およびゴムベルト式の踏み板となる。
また、上記各実施の形態では、フラッシャ装置１６がエスカレータの電源が入ったときに、即ちステップ１が移動状態／停止状態に拘わらず動作するように構成されているものとしているが、フラッシャ装置１６をステップ１の運転状態に連動して、即ちステップ１の移動状態のときにのみ動作するようにしてもよい。この場合においても、表示装置の構成が簡素化され、低価格化を実現するとともに、意匠性を損なうこともない。
また、上記各実施の形態では、発光素子としてＬＥＤを用いるものとしているが、発光素子はＬＥＤに限定されるものではなく、例えばＥＬ（Electro Luminescence）素子を用いてもよい。
【図面の簡単な説明】
【００２０】
【図１】この発明の実施の形態１に係るエスカレータを示す側面図である。
【図２】この発明の実施の形態１に係るエスカレータを示す要部拡大側面図である。
【図３】図２のＩＩＩ−ＩＩＩ矢視断面図である。
【図４】この発明の実施の形態１に係るエスカレータにおける表示装置を示すブロック構成図である。
【図５】この発明の実施の形態２に係るエスカレータの構成を示す要部断面図である。
【符号の説明】
【００２１】
１  ステップ（踏み板）、２  欄干、３、３Ａ  移動手摺り、４  案内レール、６  欄干パネル、９  主体部、１０Ａ  化粧ゴム、１４ａ〜１４ｃ  ＬＥＤ（発光素子）、１６  フラッシャ装置（制御手段）。
【図１】
2006076720.tif 000003
【図２】
2006076720.tif 000004
【図３】
2006076720.tif 000005
【図４】
2006076720.tif 000006
【図５】
2006076720.tif 000007